(57)【特許請求の範囲】
【請求項１】
多数の隔板１０１〜１１３を重ねて形成された隔板の間の空間１３１、１３２、１３３、１３４に主熱交換器から供給された暖房水と直水が交互に流れながら熱交換が行われる熱交換部１００と、前記暖房水が流入される流入口２１１と前記熱交換部１００の内部で熱交換済みの暖房水が排出される排出口２１２とが一体に形成され、前記熱交換部１００に結合された第１アダプタ２１０と、前記直水が流入される流入口２２１と前記熱交換部１００の内部で暖房水との熱交換によって加熱された温水が排出される排出口２２２とが一体に形成され、前記熱交換部１００に結合された第２アダプタ２２０とを備える給湯熱交換器において、
前記熱交換部１００の一側面を形成する隔板１０１には、前記第１アダプタ２１０と第２アダプタ２２０が連結され、
前記隔板１０１と隣接する隔板１０２との間の空間には、前記第１アダプタ２１０の流入口２１１から流入された暖房水が流れる第１暖房水循環経路１３１が形成され、
前記熱交換部１００の他側面を形成する隔板１１３とそれに隣接する隔板１１２との間の空間には、前記第２アダプタ２２０の流入口２２１から流入された直水が流れる第１直水循環経路１３３が形成され、
前記第１暖房水循環経路１３１と第１直水循環経路１３３との間には、前記第１暖房水循環経路１３１を通過した暖房水が流れる複数の第２暖房水循環経路１３２と、前記第１直水循環経路１３３を通過した直水が流れる複数の第２直水循環経路１３４が交互に形成され、
前記熱交換部１００の一側面を形成する隔板１０１には、熱交換部１００の外側方向に突出し、隔板１０１の対角線方向に横切るように暖房水通過部１０１ｅが形成され、前記第１暖房水循環経路１３１の流路断面積が拡張されることを特徴とする、給湯熱交換器。
【請求項２】
前記熱交換部１００の他側面を形成する隔板１１３には、熱交換部１００の外側方向に突出し、隔板１１３の対角線方向に横切るように直水通過部１１３ｅが形成され、前記第１直水循環経路１３３の流路断面積が拡張されることを特徴とする請求項１に記載の給湯熱交換器。
【請求項３】
前記第１アダプタ２１０には、前記隔板１０１の一側に形成された暖房水通過孔１０１ａに連結される外部連結具２１３と、前記外部連結具２１３の内側に挿入され、前記外部連結具２１３と同心構造を成し、前記隔板１０１に隣接する隔板１０２、１０３の暖房水通過孔１０２ｂ、１０３ｂに連結される内部連結具２１４とが一体に形成されていて、
前記流入口２１１に流入された暖房水は、前記外部連結具２１３と内部連結具２１４との間の空間２１５を通じて前記第１暖房水循環経路１３１に流入され、
前記第２アダプタ２２０には、前記隔板１０１の他側に形成された直水通過孔１０１ｃ、１０２ｃ  に連結される外部連結具２２４と、前記外部連結具２２４の内側に挿入され、前記外部連結具２２４と同心構造を成し、前記隔板１１３に隣接する隔板１１１、１１２に形成された直水通過孔１１１ｃ、１１２ｃに連結される内部連結具２２３とが一体に形成されていて、
前記流入口２２１に流入された直水は、前記内部連結具２２３の内部を経由して前記第１直水循環経路１３３に流入されることを特徴とする請求項１または２に記載の給湯熱交換器。
【請求項４】
前記第１アダプタ２１０の外部連結具２１３と前記暖房水通過孔１０１ａは、第１連結部材２３１を媒介して連結され、
前記第１アダプタ２１０の内部連結具２１４と前記暖房水通過孔１０２ｂ、１０３ｂは、前記第１連結部材２３１外側に端部がさらに突出し、前記第１連結部材２３１との間に暖房水が流動する空間２３１ａが形成された第２連結部材２３２を媒介して連結され、
前記第２アダプタ２２０の外部連結具２２４と前記直水通過孔１０１ｃ、１０２ｃは、第３連結部材２４１を媒介して連結され、
前記第２アダプタ２２０の内部連結具２２３と前記直水通過孔１１１ｃ、１１２ｃは、前記第３連結部材２４１の外側に端部がさらに突出し、前記第３連結部材２４１との間に直水が流動する空間２４１ａが形成された第４連結部材２４２を媒介して連結されることを特徴とする請求項３に記載の給湯熱交換器。
【請求項５】
前記第１連結部材２３１の上端部は、前記隔板１０１の暖房水通過孔１０１ａの周りに、前記第２連結部材２３２の上端部は、前記隔板１０２、１０３の暖房水通過孔１０２ｂ、１０３ｂの周りにそれぞれ溶接結合され、
前記第３連結部材２４１の上端部は、前記隔板１０１、１０２の直水通過孔１０１ｃ、１０２ｃの周りに、前記第４連結部材２４２の上端部は、前記隔板１１１、１１２の直水通過孔１１１ｃ、１１２ｃの周りにそれぞれ溶接結合され、
前記第１アダプタ２１０の外部連結具２１３の上端は、前記第１連結部材２３１の下端の内側に、前記第１アダプタ２１０の内部連結具２１４の上端は、前記第２連結部材２３２の下端の内側に、Ｏリングによって気密が維持された状態にそれぞれ挿入され、
前記第２アダプタ２２０の外部連結具２２４の上端は、前記第３連結部材２４１の下端の内側に、前記第２アダプタ２２０の内部連結具２２３の上端は、前記第４連結部材２４２の下端の内側に、Ｏリングによって気密が維持された状態にそれぞれ挿入されることを特徴とする請求項４に記載の給湯熱交換器。
【発明の詳細な説明】
【技術分野】
【０００１】
本発明は、給湯熱交換器に関し、より詳細には、ボイラーの主熱交換器で加熱された暖房水と直水との間に熱交換を行い、温水を供給するための給湯熱交換器に関する。
【背景技術】
【０００２】
図１は、一般的な暖房／温水兼用瞬間式ボイラーを概略的に示す構成図である。
暖房モードが作動すれば、循環ポンプ１０が作動し、暖房水が移送される。暖房水は、バーナー２１の燃焼熱によって主熱交換器２０で加熱された後、三方弁３０を経て暖房所要先に移送され、暖房が行われる。暖房所要先で熱交換が行われ、温度が下落した暖房還水は、膨脹タンク５０及び循環ポンプ１０を経て主熱交換器２０に移送され、再加熱が行われる。参照符号２２は、送風機を示す。
【０００３】
温水モードが作動すれば、三方弁３０で暖房所要先側に連結される経路を遮断し、給湯熱交換器４０側に連結される経路を開放させて、主熱交換器２０で暖められた暖房水を給湯熱交換器４０側に移送させる。前記給湯熱交換器４０では、直水と暖房水との間に熱交換が行われ、加熱された温水を温水所要先に供給するようになる。
【０００４】
このような給湯熱交換器４０には、暖房水が流入される配管４１、暖房水が排出される配管４２、直水が流入される配管４３及び温水が排出される配管４４が連結される。このような配管４１、４２、４３、４４の構造を簡単にするために、本出願人によって出願されて登録された大韓民国特許登録１０−１００２３８２号公報の給湯熱交換器が開示されている。
【０００５】
前記特許登録１０−１００２３８２号公報の給湯熱交換器は、多数の隔板を重ねて、隔板間の空間に前記暖房水と直水が流れながら熱交換が行われる熱交換部と、前記暖房水が流入される流入口と前記熱交換部の内部で熱交換済みの暖房水が排出される排出口とが一体に形成され、前記熱交換部に結合された第１アダプタと、前記直水が流入される流入口と前記熱交換部の内部で暖房水との熱交換によって加熱された温水が排出される排出口とが一体に形成され、前記熱交換部に結合された第２アダプタとを備える。
【０００６】
前記熱交換部の内部には、隣合う隔板の間の空間によって暖房水と直水の流路が形成されており、このように形成された流路は、一般的な給湯熱交換器より流路の長さが増加し、流路の断面積が減少し、熱交換部での流路抵抗が非常に大きくなる問題点があった。
【発明の概要】
【発明が解決しようとする課題】
【０００７】
本発明は、前述したような諸問題点を解決するためになされたものであって、その目的は、給湯熱交換器に連結される配管構造を簡単にすると同時に、給湯熱交換器の内部での流路の長さを最小化することによって、流路抵抗を最小化させることができる給湯熱交換器を提供することにある。
【課題を解決するための手段】
【０００８】
上記目的を達成するために、本発明の給湯熱交換器は、多数の隔板１０１〜１１３を重ねて形成された隔板の間の空間１３１、１３２、１３３、１３４に主熱交換器から供給された暖房水と直水が交互に流れながら熱交換が行われる熱交換部１００と、前記暖房水が流入される流入口２１１と前記熱交換部  １００の内部で熱交換済みの暖房水が排出される排出口２１２とが一体に形成され、前記熱交換部１００に結合された第１アダプタ２１０と、前記直水が流入される流入口２２１と前記熱交換部  １００の内部で暖房水との熱交換によって加熱された温水が排出される排出口２２２とが一体に形成され、前記熱交換部１００に結合された第２アダプタ２２０とを備える給湯熱交換器において、前記熱交換部１００の一側面を形成する隔板１０１には、前記第１アダプタ２１０と第２アダプタ２２０が連結され、前記隔板１０１と隣接する隔板１０２との間の空間には、前記第１アダプタ２１０の流入口２１１から流入された暖房水が流れる第１暖房水循環経路１３１が形成され、前記熱交換部１００の他側面を形成する隔板１１３とそれに隣接する隔板１１２との間の空間には、前記第２アダプタ２２０の流入口２２１から流入された直水が流れる第１直水循環経路１３３が形成され、前記第１暖房水循環経路１３１と第１直水循環経路１３３との間には、前記第１暖房水循環経路１３１を通過した暖房水が流れる複数の第２暖房水循環経路１３２と、前記第１直水循環経路１３３を通過した直水が流れる複数の第２直水循環経路１３４が交互に形成されることを特徴とする。
【発明の効果】
【０００９】
本発明によれば、第１アダプタを通じて流入された暖房水は、熱交換部の一端部に形成された第１暖房水循環経路に流入されるようにし、第２アダプタを通じて流入された直水は、熱交換部の他端部に形成された第１直水循環経路に流入されるようにすることによって、熱交換部の内部に形成された暖房水と直水の流路の長さを短縮させることができる。
【００１０】
また、熱交換部の一端部の隔板に流路断面積を拡張させる暖房水通過部を形成し、熱交換部の他端部の隔板に流路の断面積を拡張させる直水通過部を形成することによって、流路抵抗を減少させることができる。
【図面の簡単な説明】
【００１１】
【図１】一般的な暖房／温水兼用瞬間式ボイラーを概略的に示す構成図である。
【図２】本発明の給湯熱交換器を示す斜視図である。
【図３】図２の給湯熱交換器の分解斜視図である。
【図４】図２の給湯熱交換器において熱交換部のＡ−Ａ断面を概略的に示す断面図である。
【図５】図２の給湯熱交換器において熱交換部のＢ−Ｂ断面を概略的に示す断面図である。
【図６】本発明の第１アダプタに第１連結部材と第２連結部材が結合された状態を示す断面図である。
【図７】本発明の第２アダプタに第３連結部材と第４連結部材が結合された状態を示す断面図である。
【図８】本発明の第１アダプタと第２アダプタが熱交換部に結合された状態で暖房水と温水の流路をそれぞれ示す断面図である。
【発明を実施するための形態】
【００１２】
以下、添付の図面を参照して本発明の好ましい実施例に対する構成及び作用を詳しく説明する。
【００１３】
図２は、本発明の給湯熱交換器を示す斜視図である。
本発明の給湯熱交換器１は、多数の隔板を重ねて隔板間の空間に暖房水と直水が流れながら熱交換が行われる熱交換部１００と、前記熱交換部１００に結合され、暖房ライン及び給湯ラインの配管（図１の参照符号４１、４２、４３、４４）と熱交換部１００を連結させる第１アダプタ２１０及び第２アダプタ２２０とを備える。
【００１４】
図３は、図２の給湯熱交換器の分解斜視図であり、図４は、図２の給湯熱交換器において熱交換部のＡ−Ａ断面を概略的に示す断面図であり、図５は、図２の給湯熱交換器において熱交換部のＢ−Ｂ断面を概略的に示す断面図である。
【００１５】
本発明の熱交換部１００は、一例として、１３個の隔板１０１〜１１３が重なった構造よりなる。前記隔板１０１〜１１３は、暖房水と直水の熱交換が行われる電熱面になるものであって、薄板の端部を折り曲げて、隣合う隔板１０１〜１１３の端部を互いに溶接結合することによって、積層構造を形成するようになる。
【００１６】
前記隔板１０２〜１１２には、電熱面積の拡大のために凹凸が形成されている。図４と図５では、前記凹凸の図示が省略されている。
【００１７】
前記隔板１０２〜１１２には、暖房水と温水が互いに混合されず、熱交換部１００の内部で流動が可能となるように、暖房水通過孔１０１ａ〜１１２ａ、１０２ｂ〜１１１ｂと直水通過孔１０１ｃ〜１１２ｃ、１０３ｄ〜１１２ｄが形成されている。
【００１８】
前記暖房水通過孔１０１ａ〜１１２ａ、１０２ｂ〜１１１ｂと直水通過孔１０１ｃ〜１１２ｃ、１０３ｄ〜１１２ｄは、隔板１０１〜１１３の平たい部分を突出させると同時に、フランジが形成されるように折り曲げた形状よりなり、隣合う隔板の暖房水通過孔と直水通過孔を相互連通するように結合することが可能である。
図４と図５に示されたように、隣合う隔板にそれぞれ暖房水通過孔と直水通過孔の周りを突出したフランジ形状で形成することによって構成することもでき、１つの隔板には、孔だけを形成し、その隣合う隔板には、孔を突出するようにして、フランジが形成されるようにするもので構成することもできる。
【００１９】
このように連結された暖房水通過孔１０１ａ〜１１２ａ、１０２ｂ〜１１１ｂは、暖房水が流れる経路を形成し、直水通過孔１０１ｃ〜１１２ｃ、１０３ｄ〜１１２ｄは、直水が流れる経路を形成するようになる。
【００２０】
前記隔板１０１〜１１３の間に形成された空間は、図４と図５に示されたように、暖房水循環経路１３１、１３２と直水循環経路１３３、１３４を形成する。第１アダプタ２１０を通じて熱交換部１００の内部に流入された暖房水は、第１暖房水循環経路１３１及び第２暖房水循環経路１３２を順次通過しながら第１直水循環経路１３３及び第２直水循環経路１３４を通過する直水と熱交換が行われた後、第１アダプタ２１０を通じて暖房還水側に排出される。
また、第２アダプタ２２０を通じて熱交換部１００の内部に流入された直水は、第１直水循環経路１３３及び第２直水循環経路１３４を順に通過しながら第１暖房水循環経路１３１及び第２暖房水循環経路１３２を通過する暖房水と熱交換が行われた後、第２アダプタ２２０を通じて温水所要先に供給される。
【００２１】
前記アダプタ２１０、２２０が結合される隔板１０１には、熱交換部１００の外側方向に突出するように対角線方向に横切る形状の暖房水通過部１０１ｅが形成されている。前記暖房水通過部１０１ｅが形成された隔板１０１とそれに隣接する隔板１０２との間の空間は、第１暖房水循環経路１３１を形成するようになる。前記隔板１０２の表面には、凹凸が形成され、この場合、一番目の隔板１０１において暖房水通過部１０１ｅが形成された部分を除いた残りの平板部分は、隣合う隔板１０２に形成された凹凸と接触するか、または距離が非常に細くなるので、暖房水がこの部分を通過するとき、流路抵抗を大きく作用させることができる。
本発明の場合、外側方向に突出するように暖房水通過部１０１ｅを形成し、前記暖房水通過部１０１ｅの一端部に暖房水が流入される暖房水通過孔１０１ａが形成されるようにして、前記暖房水を、流路が拡張された暖房水通過部１０１ｅに誘導することによって、暖房水が通過するとき、流路抵抗を少なく作用させる。
【００２２】
一方、一番目の隔板１０１に対向する熱交換部１００の他側に設けられた隔板１１３には、熱交換部１００の外側方向に突出するように対角線方向に横切る形状の直水通過部１１３ｅが形成されている。前記直水通過部１１３ｅが形成された隔板１１３とそれに隣接する隔板１１２との間の空間は、第１直水循環経路１３３を形成するようになる。前記直水通過部１１３ｅによって流路が拡張されることによって、直水が第１直水循環経路１３３を通過するとき、受ける流路抵抗を少なくする。
【００２３】
図６は、本発明の第１アダプタに第１連結部材と第２連結部材が結合された状態を示す断面図であり、図７は、本発明の第２アダプタに第３連結部材と第４連結部材が結合された状態を示す断面図である。
【００２４】
図６を参照して熱交換部１００と第１アダプタ２１０が結合される構造について説明する。
一番目の隔板１０１に形成された暖房水通過孔１０１ａには、第１連結部材２３１の端部が挿入されて結合される。前記第１連結部材２３１は、円筒形状の胴体よりなり、胴体の上端部を折り曲げた後、その折り曲げられた部分を暖房水通過孔１０１ａに挿入した後、溶接結合する。
【００２５】
前記第１連結部材２３１の内部には、第２連結部材２３２が挿入される。前記第２連結部材２３２は、第１連結部材２３１の上側に胴体の一部が突出していて、その突出した部分の上端部が二番目と三番目の隔板１０２、１０３の暖房水通過孔１０２ｂ、１０３ｂに挿入されて結合される。
【００２６】
前記第１連結部材２３１の内周面と第２連結部材２３２の外周面は、互いに離隔されていて、その間に形成された空間２３１ａに流入口２１１を通じて流入された暖房水が通過するようになっている。
【００２７】
第１アダプタ２１０は、暖房配管と熱交換部１００との間を相互連結させることによって、暖房水の流入及び流出が行われる所であって、射出成形によって流入口２１１と排出口２１２及び連結具２１３、２１４が一体に形成されている。
【００２８】
前記流入口２１１は、図１の暖房ライン配管４１と連結され、暖房水が流入され、排出口２１２は、図１の暖房ライン配管４２と連結され、熱交換部１００内部を経由した暖房水が前記排出口２１２を通じて排出される。
【００２９】
前記連結具２１３、２１４は、前記第１連結部材２３１の下端部に挿入結合される外部連結具２１３と、前記第２連結部材２３２の下端部に挿入結合される内部連結具２１４とを備え、前記内部連結具２１４は、外部連結具２１３の内側に位置し、同心構造を成す。
【００３０】
前記流入口２１１を通じて流入した暖房水は、前記外部連結具２１３と内部連結具２１４との間の空間２１５を経由した後、第１連結部材２３１と第２連結部材２３２との間の空間２３１ａを通じて排出され、前記第１暖房水循環経路１３１に流入される。
【００３１】
前記熱交換部１００の内部を循環した暖房水は、前記第２連結部材２３２と内部連結具２１４の内部空間を経て排出口２１２を通じて排出される。
【００３２】
前記第１連結部材２３１と外部連結具２１３が結合された部分と前記第２連結部材２３２と内部連結具２１４が結合された部分は、気密を維持するためのＯリング（Ｏ−ｒｉｎｇ）がそれぞれ挿入されることが好ましい。
【００３３】
前記第１連結部材２３１と第２連結部材２３２の下端部には、外部連結具２１３と内部連結具２１４がＯリング（Ｏ−ｒｉｎｇ）を媒介にして挿入された状態で、外部連結具２１３と第１連結部材２３１の外周面の突出した部分をクランプ（ｃｌａｍｐ）などによって固定すれば、第１アダプタ２１０の脱着が可能になる。
【００３４】
この場合、前記第１連結部材２３１の上端部は、前記隔板１０１の暖房水通過孔１０１ｃの周りに溶接結合され、前記第２連結部材２３２の上端部は、前記隔板１０２、１０３の暖房水通過孔１０２ｂ、１０３ｂの周りにそれぞれ溶接結合されているので、前記第１アダプタ２１０だけを前記第１連結部材２３１と第２連結部材２３２から分離することが可能になる。
【００３５】
一方、第１アダプタ２１０には、ボイラーの暖房配管の内部に暖房水を補うための給水弁３００（図８参照）と連結される給水弁連結具２１６（図８参照）が形成されることが好ましい。給水弁３００は、暖房ラインの内部に暖房水が足りないとき、暖房水を追加供給するためのものである。前記給水弁３００を第１アダプタ２１０に一体型よりなる給水弁連結具２１６に連結することによって、配管構造が簡単になる。
【００３６】
また、前記第１アダプタ２１０には、暖房還水連結具２１７（図８参照）が形成されることが好ましい。前記暖房還水連結具２１７は、暖房還水が流れる暖房配管側に連結される。暖房還水連結具２１７を通じて流入された暖房還水は、排出口２１２を通じて循環ポンプ１０側に供給される。
【００３７】
図７を参照して熱交換部１００と第２アダプタ２２０が結合される構造について説明する。
一番目と二番目の隔板１０１、１０２に形成された直水通過孔１０１ｃ、１０２ｃには、第３連結部材２４１が挿入されて結合される。前記第３連結部材２４１は、円筒形状の胴体よりなり、胴体の上端部を折り曲げた後、その折り曲げられた部分を直水通過孔１０１ｃ、１０２ｃに挿入した後、溶接結合するようになる。
【００３８】
前記第３連結部材２４１の内部には、第４連結部材２４２が挿入される。前記第４連結部材２４２は、第３連結部材２４１の上側に胴体の一部が突出していて、その突出した部分の上端部が熱交換部１００の上側に位置する隔板１１１、１１２の直水通過孔１１１ｃ、１１２ｃの周りに結合される。
【００３９】
前記第３連結部材２４１の内周面と第４連結部材２４２の外周面は、互いに離隔されていて、その間に形成された空間２４１ａと排出口２２２が相互連通するようになっている。
【００４０】
第２アダプタ２２０は、直水／温水側配管４３、４４と熱交換部１００との間を相互連結させることによって、直水／温水の流入及び流出が行われる所であって、射出成形によって流入口２２１と排出口２２２及び連結具２２３、２２４が一体に形成されている。
【００４１】
前記流入口２２１は、図１の配管４３と連結され、直水が流入され、排出口２２２は、図１の配管４４と連結され、熱交換部１００の内部を経由しながら加熱された温水が排出される。
【００４２】
前記連結具２２３、２２４は、前記第３連結部材２４１の下端部に挿入結合される外部連結具２２４と、前記第４連結部材２４２の下端部に挿入結合される内部連結具２２３とを備え、前記内部連結具２２３は、外部連結具２２４の内側に位置し、同心構造を成すようになる。
【００４３】
前記流入口２２１を通じて流入された直水は、前記内部連結具２２３と第４連結部材２４２の内部空間を経て第１直水循環経路１３３に流入される。
【００４４】
前記第１直水循環経路１３３を経て熱交換部１００の内部を循環した直水は、前記第３連結部材２４１と第４連結部材２４２との間の空間２４１ａ及び前記空間２４１ａに連通する前記外部連結具２２４と内部連結具２２３との間の空間２２５を順次に経由した後、排出口２２２を通じて排出される。
【００４５】
前記第３連結部材２４１と外部連結具２２４が結合された部分と前記第４連結部材２４２と内部連結具２２３が結合された部分には、気密を維持するためのＯリング（Ｏ−ｒｉｎｇ）がそれぞれ挿入されることが好ましい。
【００４６】
前記第３連結部材２４１と第４連結部材２４２の下端部には、外部連結具２２４と内部連結具２２３がＯリング（Ｏ−ｒｉｎｇ）を媒介にして挿入された状態で外部連結具２２４と第３連結部材２４１の外周面の突出した部分をクランプ（ｃｌａｍｐ）などによって固定する場合、第２アダプタ２２０の脱着が可能になる。
【００４７】
この場合、前記第３連結部材２４１の上端部は、前記隔板１０１、１０２の通過孔１０１ｃ、１０２ｃの周りに溶接結合され、前記第４連結部材２４２の上端部は、前記隔板１１１、１１２の通過孔１１１ｃ、１１２ｃの周りにそれぞれ溶接結合されているので、前記第２アダプタ２２０だけを前記第３連結部材２４１と第４連結部材２４２から分離することが可能になる。
【００４８】
前述したように、本発明の第１アダプタ２１０と第２アダプタ２２０には、流入口２１１、２２１と排出口２１２、２２２及び連結具２１３、２１４、２２３、２２４が一体に形成されていて、これに連結される配管構造を簡単にすることができる。
【００４９】
前記第２アダプタ２２０には、給水弁３００と連結される給水弁連結具２２６（図８参照）が形成されることが好ましい。
【００５０】
図８は、本発明の第１アダプタと第２アダプタが熱交換部に結合された状態で暖房水と温水の流路を概略的に示す断面図である。
【００５１】
熱交換部１００には、暖房配管及び温水配管と連結させるための第１アダプタ２１０と第２アダプタ２２０が結合され、前記第１アダプタ２１０と熱交換部１００は、第１連結部材２３１と第２連結部材２３２を媒介として結合される。
【００５２】
三方弁３０が温水モードに転換されれば、主熱交換器２０で加熱された暖房水は、暖房所要先側への流れが遮断され、給湯熱交換器１側に供給され、第１アダプタ２１０の流入口２１１の内部に流入される。
【００５３】
前記第１アダプタ２１０の流入口２１１から流入された暖房水は、第１アダプタ２１０の外部連結具２１３と内部連結具２１４との間の空間２１５と第１連結部材２３１と第２連結部材２３２との間の空間２３１ａを順次に経由した後、一番目の隔板１０１とそれに隣接する隔板１０２との間に形成された第１暖房水循環経路１３１に流入される。
【００５４】
前記第１暖房水循環経路１３１に流入された暖房水は、第２連結部材２３２の上端部が隔板１０２、１０３の暖房水通過孔１０２ｂ、１０３ｂへは暖房水が流入されないように結合されているので、前記第１暖房水循環経路１３１を水平方向に流れた後、前記暖房水通過孔１０２ｂ、１０３ｂの対角線方向に形成された他の暖房水通過孔１０２ａ、１０３ａを通じて上側の暖房水循環経路に流入される。
【００５５】
前記第１暖房水循環経路１３１を形成する隔板１０１には、流路断面積が拡張された暖房水通過部１０１ｅが形成されていて、前記第１暖房水循環経路１３１を通過する暖房水には、流路抵抗が大きく作用しない。
【００５６】
前記暖房水通過孔１０２ａ、１０３ａを通過した暖房水は、その直上方に形成された他の隔板の暖房水通過孔１０４ａ〜１１１ａを順次に通過した後、前記第１暖房水循環経路１３１の上部に形成された複数の第２暖房水循環経路１３２を通じて前記第１暖房水循環経路１３１での流れ方向と反対方向である水平方向に流れるようになる。
【００５７】
前記第２暖房水循環経路１３２を通過しながら直水循環経路１３３、１３４を通過する直水と熱交換が行われた暖房水は、前記暖房水通過孔１０４ａ〜１１１ａの対角線水平方向に形成された暖房水通過孔１１１ｂ〜１０４ｂを順次に通過した後、第２連結部材２３２に流入され、第１アダプタ２１０の内部連結具２１４を通過しながら温度が下落した状態で排出口２１２を通じて膨脹タンク５０に排出される。
【００５８】
これと同時に、直水は、第２アダプタ２２０の流入口２２１に流入される。前記流入口２２１に流入された直水は、内部連結具２２３及び第４連結部材２４２の内部を経由して熱交換部１００のアダプタ２１０、２２０が結合された反対側面に形成された第１直水循環経路１３３に流入される。
【００５９】
前記第１直水循環経路１３３に流入された直水は、水平方向に流れた後、隔板１１１、１１２に形成された直水通過孔１１１ｄ、１１２ｄを通じて下側の直水循環経路に流入される。
【００６０】
前記第１直水循環経路１３３を形成する隔板１１３には、流路断面積が拡張された直水通過部１１３ｅが形成されていて、前記第１直水循環経路１３３を通過する直水には、流路抵抗が大きく作用しない。
【００６１】
前記通過孔１１１ｄ、１１２ｄを通過した暖房水は、その直下方に形成された他の隔板の直水通過孔１１０ｄ〜１０３ｄを順次通過した後、前記第１直水循環経路１３３の下部に形成された複数の第２直水循環経路１３４を通じて前記第１直水循環経路１３３での流れ方向と反対方向である水平方向に流れるようになる。
【００６２】
前記第２直水循環経路１３４を通過しながら暖房水循環経路１３１、１３２を通過する暖房水と熱交換が行われた直水は、前記直水通過孔１１０ｄ〜１０３ｄの対角線水平方向に形成された直水通過孔１１０ｃ〜１０３ｃを順次に通過した後、第３連結部材２４１と第４連結部材２４２との間の空間２４１ａに流入され、内部連結具２２３と外部連結具２２４との間の空間２２５を順次通過しながら温水になった状態で排出口２２２を通じて温水所要先側に排出される。
【００６３】
この場合、前記直水通過孔１１０ｃ〜１０３ｃには、第４連結部材２４２が挿入されていて、第４連結部材２４２の外周面と前記直水通過孔１１０ｃ〜１０３ｃとの間に形成された隙間を通じて直水が流動するようになる。
【００６４】
上記のように、本発明は、１つの第１暖房水循環経路１３１、複数の第２直水循環経路１３４、複数の第２暖房水循環経路１３２及び１つの第１直水循環経路１３３が順次に積層形成されていて、熱交換部１００の内部を流動する暖房水と直水の流動経路が短いため、流路抵抗を少なくすることができる。
【００６５】
すなわち、暖房水が熱交換部１００の内部に流入される一番目の空間である第１暖房水循環経路１３１と直水が熱交換部１００の内部に流入される一番目の空間である第１直水循環経路１３３が、熱交換部１００の一側及び他側にそれぞれ形成されているので、暖房水と直水の流動経路を短縮させることができる。
【００６６】
なお、三方弁３０が暖房モードに転換されれば、暖房所要先に供給された暖房水は、熱交換過程が行われた後、循環ポンプ１０側に還水される。本発明では、循環ポンプ１０側に還水される暖房還水を第１アダプタ２１０の暖房還水連結具２１７に流入させて、排出口２１２を経て、膨脹タンク５０を通じて循環ポンプ１０側に還水される。
【００６７】
もし暖房配管の内部に暖房水が不足な場合、給水弁３００を開放させて、暖房水を補う。給水弁３００は、第１アダプタ２１０の給水弁連結具２１６と第２アダプタ２２０の給水弁連結具２２６との間に設置される。したがって、給水弁３００を開放させれば、第２アダプタ２２０の内部の温水のうち一部が給水弁連結具２２６を通じて第１アダプタ２１０の給水弁連結具２１６と排出口２１２を順次経由した後、還水側の暖房配管に供給される。
【符号の説明】
【００６８】
１  給湯熱交換器
１００  熱交換部
１０１〜１１３  隔板
１０１ａ〜１１１ａ、１０２ｂ〜１１１ｂ  暖房水通過孔
１０１ｃ〜１１２ｃ、１０３ｄ〜１１２ｄ  直水通過孔
１３１  第１暖房水循環経路
１３２  第２暖房水循環経路
１３３  第１直水循環経路
１３４  第２直水循環経路
２１０  第１アダプタ
２１１  流入口
２１２  排出口
２１３  外部連結具
２１４  内部連結具
２１６  給水弁連結具
２１７  暖房還水連結具
２２０  第２アダプタ
２２１  流入口
２２２  排出口
２２３  内部連結具
２２４  外部連結具
２２６  給水弁連結具
２３１  第１連結部材
２３２  第２連結部材
２４１  第３連結部材
２４２  第４連結部材
３００  給水弁
【図１】
0005882491.tif 000002
【図２】
0005882491.tif 000003
【図３】
0005882491.tif 000004
【図４】
0005882491.tif 000005
【図５】
0005882491.tif 000006
【図６】
0005882491.tif 000007
【図７】
0005882491.tif 000008
【図８】
0005882491.tif 000009